(57)【要約】【課題】建物の外部から流入する雨水の浸入を阻止する防水装置を埋設する際の深さを低減し、施工コストを低減する。【解決手段】建物の外側の床部分に埋設される防水装置１０であって、箱形筐体１１と、止水板１２と、踏板１４と、レール１３と、を備える。箱形筐体は、開口された１つの面である筐体開口面１１１を有する筐体である。止水板は、板状に形成され、支持側面において、箱形筐体に対して回動自在に支持される支持部１２１ａ，１６２を有した第一板部１２１を有し、倒伏位置と起立位置との間を移動する。踏板は、第二板部１４１を有し、止水板が倒伏位置にあるときに収納位置に位置し、止水板が起立位置にあるときに露出位置に位置する。レールは、箱形筐体に備えられ、止水板による倒伏位置と起立位置との間の移動に連動して、踏板を収納位置と露出位置との間で支持しながら移動させるために用いられる。【選択図】図１
2020016026.tif 000002
【特許請求の範囲】
【請求項１】
建物の内部空間に対して外側の床部分に埋設される防水装置（１０）であって、
開口された１つの面である筐体開口面（１１１）を有する箱形形状の筐体である箱形筐体（１１）と、
板状に形成され、当該板状の面と直交するあらかじめ決められた一対の側面である支持側面において、前記箱形筐体に対して回動自在に支持される支持部（１２１ａ，１６２）を有した第一板部（１２１）を有し、前記第一板部が前記箱形筐体の内部に収納され、かつ前記第一板部の板面が前記筐体開口面と同一平面を形成する倒伏位置と、前記第一板部において前記支持部が設けられた側とは反対側の端部が前記箱形筐体の外部に露出し、かつ前記第一板部の板面が前記筐体開口面に対して直交する起立位置との間を移動するように構成された止水板（１２）と、
板状に形成され、前記箱形筐体に対して板面が平行な状態で前記箱形筐体内に保持される第二板部（１４１）を有し、前記箱形筐体において前記筐体開口面と対向する部位を筐体底面として、前記止水板が前記倒伏位置にあるときに、前記第二板部が前記止水板と前記筐体底面との間の収納位置に位置し、前記止水板が前記起立位置にあるときに、前記第二板部の板面が前記筐体開口面と同一平面を形成する露出位置に位置するように構成された踏板（１４）と、
前記箱形筐体に備えられ、前記止水板による前記倒伏位置と前記起立位置との間の移動に連動して、前記踏板を前記収納位置と前記露出位置との間で支持しながら移動させるためのレール（１３）と、
を備える防水装置。
【請求項２】
請求項１に記載の防水装置であって、
前記支持部は、
前記止水板の前記支持側面に対して直交する方向に開口された止水支持穴（１２１ａ）と、
前記止水支持穴を挿通することにより、前記止水板を回動可能な状態で前記箱形筐体に支持する止水支持軸（１６２）と、
を備える、防水装置。
【請求項３】
請求項１又は請求項２に記載の防水装置であって、
前記踏板は、
前記支持側面と平行な前記踏板の両側面である接続側面に対して垂直方向に開口された踏板接続穴（１４１ａ）と、
前記接続側面のうち少なくとも一方に設けられた踏板車輪（１４３）と、を更に備え、
前記止水板は、前記支持部が設けられた部位から前記第一板部に直交する方向に突出して設けられ、前記踏板の第二板部を回動自在に支持する連結部（１２２，１２２ａ，１２２ｂ）を更に備え、
前記連結部は、
前記止水板を前記支持側面を介して挟み込むように配置された止水フレーム（１２２）、
を備え、
前記止水フレームは、
前記倒伏位置における前記止水フレームから、前記収納位置における前記踏板の前記接続側面上の前記踏板接続穴が開口された位置に向かって延出された延出部（１２２ａ）と、
前記延出部において、前記踏板接続穴と同一形状に開口された止水接続穴（１２２ｂ）と、を備え、
当該防水装置は、接続軸（１６１）を更に備え、
前記接続軸は、
前記踏板接続穴及び止水接続穴を挿通することにより、前記止水フレームと前記踏板とを回動可能に接続する、防水装置。
【請求項４】
請求項１から請求項３までのいずれか１項に記載の防水装置であって、
前記止水板に取り付けられ、あらかじめ決められた位置にあらかじめ決められた形状である固定穴形状の開口である鍵開口（１２３Ｌｃ，１２３Ｌｄ，１２３Ｒｃ，１２３Ｒｄ）を有する固定部材（１２３）と、
前記起立位置における前記止水板を支持する柱状部材であり、前記鍵開口と重なる位置に前記鍵開口と同一形状かつ同一の大きさの開口である固定開口部（１５Ｌａ，１５Ｒａ）を有する固定柱（１５Ｌ，１５Ｒ）と、
前記鍵開口及び前記固定開口部を挿通することにより、前記固定部材と前記固定柱とを保持するロックバー（２０）と、
を備える固定部（１５，１２３，２０）を備える、防水装置。
【請求項５】
請求項１から請求項４までのいずれか１項に記載の防水装置であって、
前記箱形筐体の内側から底面と平行に配置される板状部材であって、前記露出位置における前記踏板の下部に相当する位置に備えられる補助板（１１６）を備える、防水装置。
【発明の詳細な説明】
【技術分野】
【０００１】
本開示は、防水装置に関する。
【背景技術】
【０００２】
特許文献１には、一般的に自動ドアとして普及している引き戸の形式の自動ドアが設けられた建物の入口の床部分に設置される防水装置が記載されている。当該防水装置は、雨水が入口に浸入しないように、建物の入口に流入する水をせき止める止水板を備える。
【０００３】
具体的には、設置された際に入口の敷居に沿った方向に沿って、止水板の板面の端部に回転軸である止水回転軸が設けられる。止水板は、通常時は、ドアに出入りする人により踏まれる位置に配置され、止水板の板面と床面とが同一平面である倒伏状態となる。一方、豪雨等により雨水が入口に浸入することが予想されるときには、止水板を持ち上げ、止水回転軸を中心として回動させる操作である起立動作が行われる。これにより、床面から起立した状態である起立状態となり、起立状態の止水板が雨水をせき止める。そして、起立動作により、踏板が倒伏状態における止水板の位置まで止水回転軸を中心に回動し、起立状態において、止水回転軸に沿った方向にみて、止水板の板面と、踏板の板面とが直角をなすように接続される。この際、踏板はアーム部で支持され、回動した踏板の端部が床面に固定されることにより、倒伏状態において止水板が配置されていた位置を踏板で埋めることができる。
【先行技術文献】
【特許文献】
【０００４】
【特許文献１】特開２０１５−０８６５４７号公報
【発明の概要】
【発明が解決しようとする課題】
【０００５】
特許文献１の記載によれば、起立動作には止水板を持ち上げる力に加え、止水板と接続されたアーム部により踏板を回動させる力が必要となる。そのため、踏板を回動させる力のモーメントを大きくするため、アーム部は回動する止水回転軸に対して、より長い方が小さい力で起立動作を行うことができる。
【０００６】
しかし、アーム部は倒伏状態において止水部に対して垂下し、地中に収納される部位であるため、アーム部の長さに応じた深さを掘る必要があり、アーム部をより長くすると、施工に際し、より深い穴が必要となり施工コストが増加する。
【０００７】
本発明は、施工のコストを抑えた防水装置の技術を提供する。
【課題を解決するための手段】
【０００８】
本開示の一態様は、建物の内部空間に対して外側の床部分に埋設される防水装置（１０）であって、箱形筐体（１１）と、止水板（１２）と、踏板（１４）と、レール（１３）と、を備える。箱形筐体は、開口された１つの面である筐体開口面（１１１）を有する箱形形状の筐体である。止水板は、板状に形成され、当該板状の面と直交するあらかじめ決められた一対の側面である支持側面において、箱形筐体に対して回動自在に支持される支持部（１２１ａ，１６２）を有した第一板部（１２１）を有し、第一板部が箱形筐体の内部に収納され、かつ第一板部の板面が筐体開口面と同一平面を形成する倒伏位置と、第一板部において支持部が設けられた側とは反対側の端部が箱形筐体の外部に露出し、かつ第一板部の板面が筐体開口面に対して直交する起立位置との間を移動するように構成される。踏板は、板状に形成され、箱形筐体に対して板面が平行な状態で箱形筐体内に保持される第二板部（１４１）を有し、箱形筐体において筐体開口面と対向する部位を筐体底面として、止水板が倒伏位置にあるときに、第二板部が止水板と筐体底面との間の収納位置に位置し、止水板が起立位置にあるときに、第二板部の板面が筐体開口面と同一平面を形成する露出位置に位置するように構成される。レールは、箱形筐体に備えられ、止水板による倒伏位置と起立位置との間の移動に連動して、踏板を収納位置と露出位置との間で支持しながら移動させるために用いられる。
【０００９】
従来、踏板は、アーム部を回動させることにより支持され、露出位置に相当する所定の位置まで挙げられていた。そのため、より小さい力で起立動作を行うためには、より長いアーム部が必要となる。その結果、アーム部の長さを確保する必要があり、アーム部の長さに応じた深さを掘る必要があるため、アーム部をより長くすると、施工に際し、より深い穴が必要となり施工コストが増加する。
【００１０】
一方、本願のような構成によれば、起立動作に伴い、踏板は、止水板が倒伏位置から起立位置への移動に連動して収納位置から露出位置へと移動する際に、箱形筐体に備えられたレールにより支持されながら移動させることができる。このようにレールでも支持されるため、アーム部のみで支持する必要がなく、従来技術のような長さを確保したアーム部は不要となる。
【００１１】
このため、アーム部の長さを確保するために床面をより深く掘る必要がなく、防水装置を設置するために床面を掘る深さを削減することができ、施工コストを低減することができる。
【００１２】
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１３】
【図１】防水装置の構成を表す側面図である。
【図２】防水装置の構成を表す正面図である。
【図３】踏部の構成を表す図である。
【図４】止水部の構成を表す図である。
【図５】固定部材の構成を表す図である。
【図６】ロックバーの構成を表す図である。
【図７】防水装置の起立動作を表す側面図である。
【図８】防水装置の起立動作の過程を表す側面図である。
【図９】防水装置の起立動作を表す正面図である。
【図１０】防水装置のロック動作を表す側面図である。
【図１１】防水装置のロック動作を表す正面図である。
【図１２】防水装置の設置イメージを表す斜視図である。
【図１３】防水装置の設置イメージを表す正面図である。
【図１４】変形例における防水装置の構成を表す側面図である。
【発明を実施するための形態】
【００１４】
以下、図面を参照しながら、本開示の実施形態を説明する。なお、図１，７，８，１０，１４は、後述する右側面１１５Ｒを除いて右側方向から見た側面図である。また、図２，９，１１は後述する筐体手前面１１４を除いて手前方向から見た正面図である。
【００１５】
［１．構成］
図１及び図２に示すように、防水装置１０は、箱形筐体１１、止水板１２、レール１３、踏板１４及び固定部１５を備える。
【００１６】
＜箱形筐体＞
箱形筐体１１の外形は、直方体の箱形形状に形成される。箱形筐体１１の箱形形状は、直方体を構成する面の面積が最も大きい一対の対向面のうち、一方が開口されることにより形成される。
【００１７】
以下では、箱形筐体１１の開口された面を筐体開口面１１１とし、他方を筐体底面１１２とする。
また、筐体開口面１１１を上側とし、筐体底面１１２を下側、筐体底面１１２の長手方向を左右方向、筐体底面の短手方向を奥行き方向とする。
【００１８】
箱形筐体１１の箱形形状を構成する筐体開口面１１１及び筐体底面１１２以外の面を筐体側面という。ここで、奥側の筐体側面を筐体奥面１１３、手前側の筐体側面を筐体手前面１１４ともいう。また、手前側から見て左側の筐体側面を左側面１１５Ｌ、手前側から見て右側の筐体側面を右側面１１５Ｒともいう。
【００１９】
また、手前側から奥側を見る向きを正面、左右方向から見る向きを側面ともいう。
なお、防水装置１０を構成する各構成についても箱形筐体１１に組み込んだ状態での上下方向、左右方向及び奥行き方向を基準として説明する。
【００２０】
箱形筐体１１は、箱形筐体１１の左右方向に沿って、筐体手前面１１４の内側に向かって突出した部分である補助板１１６を備える。補助板１１６は、後述する踏板１４の踏板車輪１４３の最下部から第二板部１４１の下面までの長さだけ、レール１３の最上部の上面から下の位置に上面が配置される。
【００２１】
＜レール＞
図１及び図２に示すように、レール１３は、左レール１３Ｌ及び右レール１３Ｒにより構成され、箱形筐体１１の左側面１１５Ｌ及び右側面１１５Ｒに、それぞれ左レール１３Ｌ及び右レール１３Ｒの側面部分が当接するように配置される。
【００２２】
ここで、左レール１３Ｌ及び右レール１３Ｒは、後述する第二板部１４１に備えられた車輪である踏板車輪１４３が上側を滑走し、箱形筐体１１の奥側から手前側に向かって、上り坂となる形状に形成される。
【００２３】
＜踏部＞
図３に示すように、踏板１４は、第二板部１４１、踏板車輪軸１４２及び踏板車輪１４３を備える。
【００２４】
第二板部１４１は、板状部材である。なお、ここでは第二板部１４１を構成する辺を長い順に長辺、短辺、厚さとする。第二板部１４１は、左右方向に長辺、奥行き方向に短辺、上下方向が厚さとなる向きに配置される。
【００２５】
第二板部１４１の奥側の端部は、左右方向から見た断面の形状が第二板部１４１の厚み方向の中央を曲率中心とする円弧形状となるように形成され、当該円弧形状の曲率中心の位置に、左右方向に向かって円形形状の開口である踏板接続穴１４１ａを有する。ここで、踏板接続穴１４１ａが開口されている第二板部１４１の側面を接続側面ともいう。
【００２６】
踏板車輪軸１４２は、第二板部１４１の左右方向の側面それぞれから突出する回転軸である。踏板車輪軸１４２の設けられる位置は第二板部１４１の両側面の奥行き方向の中央部分であり、厚さ方向の中央部分に配置される。
【００２７】
踏板車輪１４３は、踏板車輪軸１４２を回転軸として、レール１３の上側を滑走する車輪である。
＜止水部＞
図４に示すように、止水板１２は、第一板部１２１、止水フレーム１２２及び固定部材１２３を備える。
【００２８】
第一板部１２１は、板状部材である。第一板部１２１の形状は第二板部１４１と同様の形状に形成される。
また、第一板部１２１も第二板部１４１と同様に、第一板部１２１を構成する辺を長い順に長辺、短辺、厚さとする。第一板部１２１は、左右方向に長辺、奥行き方向に短辺、上下方向が厚さとなる向きに配置される。
【００２９】
なお、第一板部１２１は、短辺の長さが第一板部１２１の厚さに相当する長さだけ第二板部１４１よりも長く形成される。第一板部１２１の短辺の長さは、歩行者が跨ぐことができ、かつ、水をせき止めることができる程度の長さ、例えば１５ｃｍ程度に形成される。
【００３０】
また、第一板部１２１は、第一板部１２１の短辺方向の奥側端部において曲面形状の曲率中心となる位置に、支持側面に対して垂直方向に向かって、あらかじめ決められた形状及び大きさに形成される開口である止水支持穴１２１ａを有する。ここで、支持側面とは、第一板部１２１の板面に対して直交する側面のうち、左右方向の軸に直交する面をいう。
【００３１】
止水支持穴１２１ａは、後述する止水支持軸１６２が挿通可能な大きさ及び形状に形成される。
止水フレーム１２２は、第一板部１２１を左右の側面に接し、左右方向から挟み込むように配置された一対の板状部材である。止水フレーム１２２は、第一板部１２１の側面と同様の形状を有する。さらに、第一板部１２１の板面に対して直交する方向かつ後述する倒伏状態における止水支持穴１２１ａの位置から下方向に向かって延出する部分である延出部１２２ａを有する。
【００３２】
また、止水フレーム１２２は、第一板部１２１に配置した状態で、止水支持穴１２１ａと同様の位置に同様の大きさ及び形状の開口を有する。
延出部１２２ａは、延出した部分の端部が左右方向から見て円弧形状に形成され、当該円弧形状の曲率中心部分に、止水フレーム１２２に対して左右方向にあらかじめ決められた大きさ及び形状の開口である止水接続穴１２２ｂが形成される。当該止水接続穴１２２ｂと、上述した踏板１４の踏板接続穴１４１ａとは同一形状及び同一の大きさとなるように形成される。
【００３３】
図５に示すように、固定部材１２３は、左固定部材１２３Ｌ及び右固定部材１２３Ｒを備える。左固定部材１２３Ｌ及び右固定部材１２３Ｒは、第一板部１２１に対して左右対称となるように、左固定部材１２３Ｌは、止水フレーム１２２の左側に配置され、右固定部材１２３Ｒは止水フレーム１２２の右側に配置される。
【００３４】
以下では、左固定部材１２３Ｌと右固定部材１２３Ｒは、左右対称となる形状を有する同様の部材であるため、右固定部材１２３Ｒについて説明する。なお、図中の符号において、右固定部材１２３Ｒの各部の符号のＲをＬに置き換えたものが、左固定部材１２３Ｌにおける各部の符号に相当する。
【００３５】
右固定部材１２３Ｒは、二枚の板状部分１２３Ｒａ，１２３Ｒｂを有する。二枚の板状部分１２３Ｒａ，１２３Ｒｂは、上下方向に対向するように、別の板状部分である保持板１２３Ｒｅにより保持される。二枚の板状部分１２３Ｒａ，１２３Ｒｂは、いずれも端部が保持板１２３Ｒｅの両端と接するように配置される。
【００３６】
板状部分１２３Ｒａは、鍵開口１２３Ｒｃを有する。鍵開口１２３Ｒｃは、板状部分１２３Ｒａの中央に開口され、その開口した向きに直交する断面形状は、円形形状に加え、その円形形状の一部が円形形状の中心に対して、奥行き方向に向かって対称となるように、円形形状の中心から外側に向かって一対の方形形状を有する形状に形成される。以下では、鍵開口１２３Ｒｃの形状を固定穴形状という。
【００３７】
なお、板状部分１２３Ｒｂも、板状部分１２３Ｒａにおける鍵開口１２３Ｒｃの位置と同様の位置に、鍵開口１２３Ｒｃと同様の固定穴形状の鍵開口１２３Ｒｄを有する。すなわち、後述するロックバー２０が鍵開口１２３Ｒｃ及び鍵開口１２３Ｒｄを挿通できるように、板状部分１２３Ｒａ，１２３Ｒｂの面に対して一直線に位置するように、鍵開口１２３Ｒｃ及び鍵開口１２３Ｒｄは配置される。
【００３８】
接続板１２３Ｒｆは、保持板１２３Ｒｅに対して板状部分１２３Ｒａ及び板状部分１２３Ｒｂが接している面と反対側の面である接続面に、保持板１２３Ｒｅにおいて、板状部分１２３Ｒｂが位置している側の端部に、保持板１２３Ｒｅに対して垂直に配置される。ここで、接続板１２３Ｒｆは、保持板１２３Ｒｅの端面からあらかじめ決められた分の厚さだけ突出した状態で、保持板１２３Ｒｅと接続する。ここで、端面から接続板１２３Ｒｆが突出する厚さは、鍵開口１２３Ｒｃ，１２３Ｒｄを挿通した後述するロックバー２０を折り曲げた際に、接続板１２３Ｒｆが接触する厚さに設定される。
【００３９】
そして、保持板１２３Ｒｅの接続面が止水フレーム１２２に接し、接続板１２３Ｒｆが第一板部１２１に接した状態で、取り付けられる。すなわち、第一板部１２１及び止水フレーム１２２が構成する角部分が、保持板１２３Ｒｅ及び接続板１２３Ｒｆに嵌まり込む状態で取り付けられる。
【００４０】
また、接続板１２３Ｒｆは、ロック溝１２３Ｒｇを有する。ロック溝１２３Ｒｇは、鍵開口１２３Ｒｄの開口した向きに直交する断面形状の中心部分が有する円形形状の開口から左右方向に沿って、接続板１２３Ｒｆの表面に欠成される。
【００４１】
＜固定部＞
また、図１及び図２に示すように、固定部１５は、左固定柱１５Ｌ及び右固定柱１５Ｒにより構成される。左固定柱１５Ｌ及び右固定柱１５Ｒはそれぞれ、四角柱の柱状部材であり、あらかじめ決められた位置に左固定開口部１５Ｌａ及び右固定開口部１５Ｒａを有する。
【００４２】
ここで、左固定開口部１５Ｌａ及び右固定開口部１５Ｒａはそれぞれ、固定穴形状と同様の形状に開口される。
左固定柱１５Ｌ及び右固定柱１５Ｒは、それぞれ箱形筐体１１の奥側の筐体側面に接し、当該側面から、当該側面に沿って上下方向に延出するように配置される。左固定柱１５Ｌの左側面は、箱形筐体１１の筐体左側面の内側の面に当接する。同様に右固定柱１５Ｒの右側面は、箱形筐体１１の筐体右側面の内側の面に当接する。
【００４３】
なお、後述する起立位置において、左固定開口部１５Ｌａ及び右固定開口部１５Ｒａは、板状部材１２３Ｒａ，１２３Ｒｂの鍵開口１２３Ｒｃ，１２３Ｌｃと重なる位置に開口される。
【００４４】
＜ロックバー＞
図６に示すように、ロックバー２０は、防水装置１０とは別体に設けられ、鍵部２１、挿通部２２、バー支持部２３及び操作部２４とを有する。
【００４５】
鍵部２１は、挿通する方向に直交する断面の形状が、上述した固定穴形状と同様の円形と方形とが組み合わさった形状であって、鍵開口１２３Ｒｃ等に挿通可能な形状に形成される。ここでいう鍵開口１２３Ｒｃとは、鍵開口１２３Ｒｃ，１２３Ｒｄ，１２３Ｌｃ，１２３Ｌｄ、左固定開口部１５Ｌａ及び右固定開口部１５Ｒａをいう。
【００４６】
そして、鍵部２１を、９０度回転させることにより、鍵部２１の方形部分が板状部分１２３Ｒａ等に当たることにより引き抜けないような形状に形成される。
挿通部２２は、鍵部２１を支持する円柱の棒状部分である。挿通部２２の棒状部分は、鍵部２１が鍵開口１２３Ｒｃ等に挿通できるように、固定穴形状の断面の中心部分の円形形状を通すことができる大きさに形成される。挿通部２２の長さは、左固定柱１５Ｌ又は右固定柱１５Ｒの厚さと第一板部１２１の厚さとを合算した長さに形成される。
【００４７】
バー支持部２３は、挿通部２２に対して上方向に向かって垂直に曲成される棒状部分である。バー支持部２３は、上述したロック溝１２３Ｒｇに嵌まり込む太さに形成される。
操作部２４は、バー支持部２３から延長する位置に形成され、挿通部２２の中心部分、すなわち鍵部２１中心部分を支点として、ロックバー２０を回転操作するための棒状部分である。
【００４８】
＜全体構造＞
図１、図２に示すように、箱形筐体１１に備えられたレール１３に踏板１４の踏板車輪１４３を載置する。
【００４９】
そして、踏板１４の第二板部１４１の左右方向に対して直交する断面上に開口された踏板接続穴１４１ａと、止水フレーム１２２に備えられた止水支持穴１２１ａとが重なり合うように止水板１２を配置し、接続軸１６１により止水接続穴１２２ｂと踏板接続穴１４１ａとを挿通させることにより止水板１２と踏板１４とを接続する。接続軸１６１の径は、踏板接続穴１４１ａ及び止水支持穴１２１ａの開口の大きさよりも小さく形成され、踏板接続穴１４１ａ及び止水支持穴１２１ａの開口を挿通することにより、止水板１２が有する第一板部１２１と踏板１４が有する第二板部１４１とを回動可能に支持する。
【００５０】
また、止水支持穴１２１ａが止水支持軸１６２により挿通されることにより止水板１２は、箱形筐体１１に回動可能に支持される。すなわち、第一板部１２１は、第一板部１２１を止水支持軸１６２が挿通することにより、起立状態と倒伏状態とを移動可能に構成される。ここで、起立状態とは、第一板部１２１の板面の向きが筐体底面１１２に対して直交する向きになる状態をいい、倒伏状態とは、第一板部１２１の板面の向きが筐体底面１１２に対して平行となる向きになる状態をいう。
【００５１】
このように構成することにより、第一板部１２１と第二板部１４１とは板面が平行となるように構成される。
なお、止水支持穴１２１ａ及び止水支持軸１６２が支持部としての構成に相当し、踏板接続穴１４１ａ、止水フレーム１２２、延出部１２２ａ、止水接続穴１２２ｂ及び接続軸１６１とが連結部としての構成に相当する。
【００５２】
［２．動作］
図７の側面図及び図９の正面図に示すように、防水装置１０は、止水支持穴１２１ａを挿通する止水支持軸１６２を回転軸として、止水板１２の第一板部１２１部分が引き上げられる動作である起立動作が行われる。これにより、図７上図及び図９上図に示す倒伏状態から、図７下図及び図９下図に示すように、第一板部１２１が起立する起立状態となる。
【００５３】
ここで、図８に示すように、第一板部１２１が起立するに伴って止水フレーム１２２が止水支持軸１６２を中心に回動する。なお、矢印は起立状態への状態の変化を表すものであり、図８の左上から順に右下の状態へと遷移する。止水フレーム１２２が動く際に、止水接続穴１２２ｂを挿通する接続軸１６１が踏板接続穴１４１ａを手前に向かって押し出す。踏板接続穴１４１ａが設けられた第二板部１４１は、接続軸１６１を介して手前側に押し出される。これと同時に、第二板部１４１の左右方向の端部に備えられた踏板車輪１４３がレール１３に沿って滑走する。レール１３は箱形筐体１１の奥から手前にかけて上り坂となるように設置されているため、レール１３の形状に沿って、踏板１４の第二板部１４１が持ち上げられる。第一板部１２１が倒伏位置から起立位置への移動に連動して、第二板部１４１は、収納位置から露出位置へと平行移動する。ここで、倒伏位置とは、倒伏状態における第一板部１２１の位置をいい、起立位置とは、起立状態における第一板部１２１の位置をいう。露出位置とは、倒伏状態における第一板部１２１の位置に相当する位置である。また、収納位置とは、倒伏状態における第二板部１４１の位置をいい、倒伏状態にある第一板部１２１の板面と平行となる向きになる位置をいう。
【００５４】
第二板部１４１は、収納位置から露出位置に平行移動すると、第二板部１４１の下部が補助板１１６と当接し、補助板１１６により支持される。
そして、図１０の側面図の上図及び図１１の正面図の上図に示すように２本のロックバー２０の鍵部２１が、それぞれ固定部材１２３の板状部分１２３Ｒａ，１２３Ｒｂに１つずつ挿通可能となる。
【００５５】
そして、ロックバー２０に対してロック動作を行うことにより、図１０下図及び図１１下図に示すように、ロックバー２０の鍵部２１が板状部分１２３Ｒａ，１２３Ｒｂの鍵開口穴を抜けることがなく、固定される。
ここで、ロック動作とは、操作部２４を箱形筐体１１の内側に向かって回動し、ロックバー２０のバー支持部２３を、左固定部材１２３Ｌ又は右固定部材１２３Ｒのロック溝１２３Ｌｇ，１２３Ｒｇに嵌まり込むことにより、ロックバー２０が移動しないように固定する操作をいう。
【００５６】
［３．設置例］
図１２及び図１３に示すように、防水装置１０は、建物の外側から見て防水装置１０の手前側が手前側にくるように、建物の内部空間に対して外側の床に埋設される。
【００５７】
なお、鍵開口穴が備えられ、ロックバー２０の鍵部２１が挿通する中空の支柱をドアの枠部分に備えた構成でもよい。これにより、固定柱だけでなく支柱に固定されるため、第一板部１２１をより強固に固定することができる。
【００５８】
［４．効果］
以上詳述した実施形態によれば、以下の効果を奏する。
（１）上述した防水装置１０によれば、止水板１２が有する第一板部１２１により、店舗などの建物の入口から雨水が流入することを防止することができる。
【００５９】
（２）上述した防水装置１０によれば、施工コストを低減することができる。
すなわち、従来、踏板は、アーム部を回動させることにより支持され、露出位置に相当する所定の位置まで、上げられていた。そのため、より小さい力で起立動作を行うためには、より長いアーム部が必要となる。その結果、アーム部の長さを確保するために、アーム部の長さに応じた深さを掘る必要がある。そのため、アーム部をより長くすると、施工に際し、より深い穴が必要となり施工コストが増加する。
【００６０】
一方、本願のような構成によれば、起立動作に伴い、踏板１４は、箱形筐体１１に備えられたレール１３により支持されるため、アーム部に相当する本願の構成である延出部１２２ａのみで支持する場合に比べ、踏板１４の重量による負担は延出部１２２ａと止水板１２と箱形筐体１１とに分散させることができる。
【００６１】
このため、止水板１２に係る力を軽減させることができるため、従来技術のようなアーム部は必要無く、アーム部の長さを確保するために床面をより深く掘る必要がないため、防水装置を設置するために床面を掘る深さを削減することができ、施工コストを低減することができる。
【００６２】
（３）また、レール１３は、踏板１４を収納位置から露出位置の間で支持しながら移動させるように構成されるため、延出部１２２ａのみで踏板１４の重さに逆らって持ち上げる必要はない。これにより延出部１２２ａが接続された止水板にかかる力を軽減することができる。
【００６３】
（４）止水板１２の第一板部１２１が倒伏状態から起立状態になるのに連動して、踏板１４の第二板部１４１が、倒伏状態における第一板部１２１が配置されていた位置である床面の高さに移動する。このため、第一板部１２１が起立した場合に、第一板部１２１が倒伏状態において、存在した位置に歩行者の足が嵌まり込むことを抑制することができる。
【００６４】
（５）上述した防水装置１０によれば、第一板部１２１を倒伏状態から起立状態に変化させることにより、動きに連動して第二板部１４１が上がるため、別に電源等を必要とすることなく、第二板部１４１を第一板部１２１の位置に上げることができる。
【００６５】
［５．他の実施形態］
（１）上記実施形態では、第一板部１２１を手動で持ち上げることにより、倒伏状態から起立状態に変化する起立動作を行うが、起立動作を補助する構成を更に有していてもよい。例えば図１４に示すように、第二板部１４１の車輪部分に、起立動作補助するアブソーバー１７１を有していてもよい。ここでいうアブソーバー１７１とは、油圧等の力により、第一板部１２１及び第二板部１４１の持ち上げ１に要する力を軽減する部材である。
【００６６】
（２）上記実施形態では、箱形筐体１１にレール１３が設けられ、止水板１２の回動に対応して、その上を、踏板１４に備えられた踏板車輪１４３が滑走することにより、踏板１４の平行移動がなされるが、踏板１４の平行移動はこのような構成により実現されるものに限定されるものではない。例えば、踏板車輪１４３を有さず、レール１３の上を滑走するような構成であってもよい。すなわち、踏板１４が止水板１２の倒伏位置に移動する構成であれば上記実施形態のような構成に限られず、種々変形してもよい。
【００６７】
（３）上記実施形態では、止水板１２が有する固定部材１２３と固定部１５とに同一の形状を有する開口部である鍵開口１２３Ｒｃ，左固定開口部１５Ｌａ及び右固定開口部１５Ｒａをロックバー２０が挿通し、ロックバー２０により止水板１２が固定されるが、止水板１２を固定する構成はこのような構成に限定されるものではなく、例えば、止水板１２と固定部１５とを挟み込むことにより固定する固定部材により止水板１２を起立状態に固定してもよい。すなわち、止水板１２を起立状態に固定する構成が存在すれば、上記実施形態に記載されたような構成に限定されるものではない。
【００６８】
（４）上記実施形態では、箱形筐体１１は、直方体の一面が開口された箱形形状であるとしたが、箱形筐体１１の形状は、直方体の一面が開口された箱形形状に限定されるものではなく、止水板１２、レール１３及び踏板１４等の部材が配置することができる構成であればよい。
【００６９】
また、奥側側面が、左固定柱１５Ｌ及び右固定柱１５Ｒの部分だけ、上方向に延出した形状であってもよい。この場合、奥側側面にも左固定柱１５Ｌ及び右固定柱１５Ｒと同様の左固定開口部１５Ｌａ及び右固定開口部１５Ｒａがそれぞれ開口されていてもよい。
【００７０】
（５）上記実施形態では、左固定柱１５Ｌ及び右固定柱１５Ｒにより構成される固定部１５を備えるが、固定部１５を備えない構成であってもよい。例えば、左固定柱１５Ｌ及び右固定柱１５Ｒの代わりに箱形筐体１１の奥側側面が左固定柱１５Ｌ及び右固定柱１５Ｒの形状に形成されていてもよく、また、防水装置１０が設置されるドアの枠部分にロックバー２０の鍵部２１が挿通する中空の支柱を備える場合、左固定柱１５Ｌ及び右固定柱１５Ｒや、左固定柱１５Ｌ及び右固定柱１５Ｒの形状に形成された箱形筐体１１を要することなく、直接、ドアの枠部分に固定可能な構成であってもよい。
【００７１】
（６）上記実施形態では、図１２及び図１３に示すように、防水装置１０は、建物の外側から見て手前側に防水装置１０の手前側が位置するように、建物の内部空間に対して外側の床に埋設される。しかし、埋設される向きはこのような向きに限定されるものではなく、建物の外側からみて奥側に防水装置１０の手前側が位置するように埋設されてもよい。
【００７２】
（７）上記各実施形態及び請求項等における「垂直」、「直交」、「平行」、「同一」との記載は、厳密な意味に限られるものではなく、上記それぞれと同様の効果を奏するのであれば、厳密に「垂直」、「直交」、「平行」、「同一」でなくてもよい。
【００７３】
（８）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００７４】
１０…防水装置、１１…箱形筐体、１２…止水板、１３…レール、１４…踏板、１５…固定部、１５Ｌ…左固定柱、１５Ｌａ…左固定開口部、１５Ｒ…右固定柱、１５Ｒａ…右固定開口部、２０…ロックバー、２１…鍵部、２２…挿通部、２３…バー支持部、２４…操作部、１１１…筐体開口面、１１２…筐体底面、１１３…筐体奥面、１１４…筐体手前面、１１５Ｌ…左側面、１１５Ｒ…右側面、１１６…補助板、１２１…第一板部、１２１ａ…止水支持穴、１２２…止水フレーム、１２２ａ…延出部、１２２ｂ…止水接続穴、１２３…固定部材、１２３Ｌ…左固定部材、１２３Ｒ…右固定部材、１２３Ｒａ…板状部材、１２３Ｒｃ,１２３Ｒｄ…鍵開口、１２３Ｒｅ…保持板、１２３Ｒｆ…接続板、１２３Ｒｇ…ロック溝、１４１…第二板部、１４１ａ…踏板接続穴、１４２…踏板車輪軸、１４３…踏板車輪、１６１…接続軸、１６２…止水支持軸、１７１…アブソーバー。
【図１】
2020016026.tif 000003
【図２】
2020016026.tif 000004
【図３】
2020016026.tif 000005
【図４】
2020016026.tif 000006
【図５】
2020016026.tif 000007
【図６】
2020016026.tif 000008
【図７】
2020016026.tif 000009
【図８】
2020016026.tif 000010
【図９】
2020016026.tif 000011
【図１０】
2020016026.tif 000012
【図１１】
2020016026.tif 000013
【図１２】
2020016026.tif 000014
【図１３】
2020016026.tif 000015
【図１４】
2020016026.tif 000016